(57)【要約】【課題】本発明は、構造が単純で、トンネル支柱が移動し易く、支柱に連結した被覆材の開閉が軽便である建造物であって、ビニールハウス、倉庫、作業場としても使える蛇腹式建造物を提供する。【解決手段】トンネル状の支柱群を立設し、該支柱群に連結し、かつ、その外側を覆う被覆資材を備え、前記支柱群のうち中間支柱群をトンネル軸方向に移動可能にし、かつ、該被覆資材を前記中間支柱群の移動と共に展開し又は畳めるように配設した蛇腹式建造物であって、前記支柱群のうち両端部支柱が両脚部及び中央頂部において、上方に開口し、前記両端支柱間に延在する溝型鋼を固設して備え、前記各中間支柱の両脚部及び頂部に下向きに固着したキャスターを、前記開口を通じて前記溝型鋼内に嵌入して前記各中間支柱を移動可能に構成したことを特徴とする蛇腹式建造物。【選択図】図１
2014014280.tif 000002
【特許請求の範囲】
【請求項１】
トンネル状の支柱群を立設し、該支柱群に連結し、かつ、その外側を覆う被覆資材を備え、前記支柱群のうち中間支柱群をトンネル軸方向に移動可能にし、かつ、該被覆資材を前記中間支柱群の移動と共に展開し又は畳めるように配設した蛇腹式建造物であって、前記支柱群のうち両端部支柱が両脚部及び中央頂部において、上方に開口し、前記両端支柱間に延在する溝型鋼を固設して備え、前記各中間支柱の両脚部及び頂部に下向きに固着したキャスターを、前記開口を通じて前記溝型鋼内に嵌入して前記各中間支柱を移動可能に構成したことを特徴とする蛇腹式建造物。
【請求項２】
蛇腹式建造物の任意の相隣合う中間支柱間で被覆資材を分割した個所を少なくとも一つ以上設けると共に、該分割個所の該支柱同士を結合又は分離可能にしたことを特徴とする請求項１に記載の蛇腹式建造物。
【請求項３】
前記中央頂部の前記溝型鋼を下から担持する支柱を少なくとも１か所備えたことを特徴とする請求項１又は２に記載の蛇腹式建造物。
【請求項４】
妻部に備えた妻部用被覆資材がその中央部で縦方向に分割又は結合可能にしたことを特徴とする請求項１又は２又は３に記載の蛇腹式建造物。
【請求項５】
前記被覆資材が、柔軟性を有するシート状であり、かつ、プラスチック製フィルム、寒冷紗、不織布、ブルーシート、熱線遮断シート及び紫外線遮断シートから少なくとも１つを選択してなることを特徴とする請求項１から４のいずれかに記載の蛇腹式建造物。
【発明の詳細な説明】
【技術分野】
【０００１】
本発明は、簡単に組み立てることができる簡易な建造物であって、農圃において簡易ハウスとして、また、空き地において倉庫、作業場として用いることができ、屋根と側壁を軽便に展開又は畳めるように構成した蛇腹式建造物に関するものである。
【背景技術】
【０００２】
近年、手軽で安価なパイプハウスやトンネルなどを利用した栽培が広く普及して、多くの野菜が周年栽培されるようになってきている。トンネルの施工は、簡単な構造であるが、手間の掛かる工法である。しかも、トンネルは、栽培環境の管理、例えば、トンネル内の雰囲気温度、日照などを調節するために、被覆資材の着脱を何度も行う点で、大変手間がかかるという問題があった。
【０００３】
そこで、本出願人は、これらの問題を解決するために、野菜の栽培環境、即ち保温、遮光、防虫等に関して好適に調節できるように、被覆資材を張設したトンネルを畝に沿って覆うように展開し、又は畳めるようにした蛇腹式トンネルを提供した〔参考文献１〕。また、出願人は背の高い野菜についても適用することができる蛇腹式トンネル（特願２０１１−００１８６８）を出願している。また、ガレージに適用できる蛇腹式ガレージ（特願２０１１−１４４９９９）、倉庫や作業場に適用できる蛇腹式倉庫兼作業場（特願２０１１−１４５０００）、簡易ハウス、倉庫、作業場、ガレージにも適用できる蛇腹式建造物（特願２０１１−２６０１７６）も出願している。
【先行技術文献】
【特許文献】
【０００４】
【特許文献１】特開２００９−１３６２９３公報（〔０００８〕、〔図１〕）
【発明の概要】
【発明が解決しようとする課題】
【０００５】
特許文献１の先行技術は、特に、背丈の高い野菜や支柱を要する野菜などに用いるトンネルの場合に、背丈の高いトンネル支柱を用いたトンネルが要求されるが、背丈の高いトンネル全体を前記トンネル支柱の両脚部を摺動して開閉することは容易でなく、また同様に、このトンネルの被覆材を開閉するために、背丈の高いトンネルを畝方向に摺動する際には、安定が悪く、かつ摺動に対する摩擦抵抗が大きくて不便な点があった。
【０００６】
本発明は、これらの問題を解決したものであって、構造が単純で、しかも、トンネル支柱が移動し易く、支柱に連結した被覆材の開閉が軽便である建造物であって、農圃において、トンネル（簡易ビニールハウス）として使え、また、大型の倉庫、作業場としても使える蛇腹式建造物を提供するものである。
【課題を解決するための手段】
【０００７】
上記の目的を達成するために、本発明の請求項１に係る蛇腹式建造物は、トンネル状の支柱群を立設し、該支柱群に連結し、かつ、その外側を覆う被覆資材を備え、前記支柱群のうち中間支柱群をトンネル軸方向に移動可能にし、かつ、該被覆資材を前記中間支柱群の移動と共に展開し又は畳めるように配設した蛇腹式建造物であって、前記支柱群のうち両端部支柱が両脚部及び中央頂部において、上方に開口し、前記両端支柱間に延在する溝型鋼を固設して備え、前記各中間支柱の両脚部及び頂部に下向きに固着したキャスターを、前記開口を通じて前記溝型鋼内に嵌入して前記各中間支柱を移動可能に構成したことを特徴とする。
【０００８】
請求項２に係る蛇腹式建造物は、請求項１に記載の蛇腹式建造物において、蛇腹式建造物の任意の相隣合う中間支柱間で被覆資材を分割した個所を少なくとも一つ以上設けると共に、該分割個所の該支柱同士を結合又は分離可能にしたことを特徴とする。
【０００９】
これらの構成を採用することにより、蛇腹式建造物は、両端部支柱の間において、両脚部と中央頂部の３箇所を、上面に溝状の開口部を有する溝型鋼で連結している。その溝型鋼内に各中間支柱の両脚部及び中央頂部の３箇所で固着されたキャスターの車輪群が嵌め込まれ該中間支柱を支えている。中間支柱の移動時において、各中間支柱に固着した各３箇所のキャスターの車輪が、両端部支柱間に固設された溝型鋼内（レール）を回転しながら移動できるので、小さな力で各中間支柱を容易に移動させることができる。よって、本願発明に係る蛇腹式建造物は、展開や分割（畳むこと）が小さな力で容易にできる。また、各中間支柱は両脚部と中央頂部の３点で支持、立設しているので、トンネル軸方向に倒れ難い。
【００１０】
各中間支柱は、常に３箇所のキャスターで支えられており、中間支柱にかかる荷重が３箇所に分散されるので、中間支柱及びキャスターと、中間支柱とキャスターとの接合部の必要強度を低く抑えることができる。そのことよって、中間支柱全体の重量を軽くすることができるので、溝型鋼の必要強度を小さくすることができ、それに伴う溝型鋼の重量を小さくすることができる。その結果、蛇腹式建造物の中間支柱群と溝型鋼の大きさを合理的に小さくできるので、建設費を安くすることが可能となる。
【００１１】
各中間支柱の外周を覆って各中間支柱に連結されている被覆資材は、中間支柱群と共に、展開又は分割（畳むこと）ができる。また、蛇腹式建造物は、任意の箇所に分割部用の中間支柱を２本連続で設けることによって、当該箇所で分割することができる。中間支柱を展開する場合には、隣合う２本の分割部用の中間支柱同士を合わせて結合（展開）することができ、また、分割する場合には、隣合う分割部用中間支柱を離して分割することができる。このことによって、本願発明に係る蛇腹式建造物は、展開や分割（畳むこと）ができる。なお、蛇腹式建物は、中間支柱の外側には被覆資材以外の物が存在しないので、被覆資材を簡単に中間支柱の外周に設けることができる。
【００１２】
蛇腹式建造物は、農圃において使用した場合、野菜の栽培で保温、遮光、防虫が必要な場合には、蛇腹式建造物の中間支柱群を展開すれば、被覆資材も展開されて畝上にトンネル（ビニールハウス）を形成することが容易にできる。また、一方、畝に対して保温状態を和らげたり、日照を施すとか、昆虫による花粉媒介とかで、トンネルの覆いを必要としない際には、任意の分割可能箇所で中間支柱群を詰めて移動すれば、被覆資材を畳めるので、トンネルを撤去したのと同じ効果を簡易な操作で行うことができる。
【００１３】
また、蛇腹式建造物は、簡易倉庫や作業場としても使用できる。その場合、蛇腹式建造物の中間支柱群を展開すれば、被覆資材も展開されて密閉式の倉庫や作業場を容易に形成することができる。一方、任意の分割可能箇所で中間支柱群の間隔を詰めて移動すれば、被覆資材を畳めるので、蛇腹式建造物の側壁や屋根を開放して、オープンスペースとすることができる。前述したように、蛇腹式建造物をクローズドスペース又はオープンスペースにする作業が容易であって、倉庫又は作業場に適した作業環境を、任意に選択して構築することができる。また、蛇腹式建造物を倉庫として使用する場合には、蛇腹式建造物の側部（長辺部）から、作業場への出入りや荷物の搬入又は搬出が容易となる。よって、重たい荷物を搬入又は搬出する場合には、トラックなどの車を倉庫の中の側部のすぐ横に横付けられるので、楽に荷物などの搬出入の作業ができる。また、蛇腹式建造物を作業場として使用する場合にも、中間支柱群を間隔を詰めて移動し、被覆資材を畳んで使用すれば、作業場がオープンスペースの状態となるので、換気が必要な作業、例えば、塗装作業や溶接作業を行うのに都合がよく、また、作業終了時に支柱群と被覆材を展開して覆いをすれば、そのまま倉庫の状態となり、片付けが楽で、しかも、作業に使った物が雨に濡れないようにすることができる。
【００１４】
請求項３に係る蛇腹式建造物は、請求項１又は２に記載の蛇腹式建造物において、前記中央頂部及び前記両脚部の前記溝型鋼を下から担持する担持支柱を少なくとも１か所備えたことを特徴とする。
【００１５】
これにより、中央頂部の溝型鋼の延長距離が長くなったとしても、担持支柱が下から支えるので、溝型鋼（レール）が撓んで、中央頂部の溝型鋼と両脚部の溝型鋼との間隔や中央頂部の溝型鋼の直進性に狂いが発生することがなく、中間支柱の移動に伴う開閉動作に支障をきたすことを防ぐことができる。なお、両脚部の溝型鋼は、延長距離が長くなったとしても、地面から余り離れていないので、土砂等を盛り上げて下から支えることができる。
【００１６】
請求項４に係る蛇腹式建造物は、請求項１又は２又は３に記載の蛇腹式建造物において、妻部に備えた妻部用被覆資材がその中央部で縦方向に分割又は結合可能にしたことを特徴とする。
【００１７】
この構成を採用することにより、妻部から蛇腹式建造物に雨風が入ることを防ぎ、また、通常の人や機械等の出入りは、蛇腹式建造物の妻部からできる。特に、倉庫として使用する場合には、密閉でき不審者の侵入を防止し、保安状態を良好にすることができる。
【００１８】
請求項５に係る蛇腹式建造物は、請求項１から４のいずれかに記載の蛇腹式建造物において、前記被覆資材が、柔軟性を有するシート状であり、かつ、プラスチック製フィルム、寒冷紗、不織布、ブルーシート、熱線遮断シート及び紫外線遮断シートから少なくとも１つを選択してなることを特徴とする。
【００１９】
この構成を採用することにより、蛇腹式建造物の屋根や壁を形成する被覆資材には、柔軟性を有するシート状であって、蛇腹式建造物の目的及び用途に応じて、プラスチック製フィルム、寒冷紗、不織布、ブルーシート、熱線遮断シート、紫外線遮断シート等を或いはそれらを使い分けることができる。ビニールハウスとして農業に用いて、保温のために使用するのであれば、プラスチックフィルムや不織布が、遮光であれば、着色プラスチックフィルムや不織布が、通気性のある遮光材として寒冷紗が、防虫であれば、これらのいずれの被覆資材も使える。また、倉庫に用いる場合には、ブルーシートは、価格も安く入手も容易である。また、熱線遮断シートを使用すれば、、夏場でも作業場内の温度が高温になることを防ぐことができ、また、紫外線防止シートを用いれば、倉庫内に保管している物、例えば、プラスチック製品の劣化を抑えることができる。このように、目的に応じて、これらの被覆資材を適宜選択して用いることができる。
【発明の効果】
【００２０】
本発明に係る請求項１から５に記載の蛇腹式建造物によれば、建造物を展開する又は畳む作業が、支柱の中央頂部及び両脚部に設けられた上面に溝状の開口を有する溝型鋼と、その溝型鋼内にキャスターの車輪が収まって支柱を支える構造を持つ中間支柱との組み合わせによって、滑らか且つ軽便に中間支柱の移動作業をすることができると共に、中間支柱が頂部と両脚部との三点支持となって、中間支柱の立設状態が安定する。
【００２１】
また、本発明の蛇腹式建造物は、従来の、ビニールハウス、倉庫又は作業場に比べて簡易な構造であるから設備費を安くすることができる。また、解体と組み立て容易であり、蛇腹式建造物を必要に合わせて、ビニールハウス、倉庫又は作業場等、様々な使用ができ汎用性があるので、建造物の稼働率を上げることができる。
【図面の簡単な説明】
【００２２】
【図１】本発明の実施するための形態に係る蛇腹式建造物であって、模式的全体斜視図である。
【図２】本発明の実施するための形態に係る蛇腹式建造物であって、（ａ）は中間支柱の支柱脚部と支柱中央頂部の可動部の模式的斜視図、（ｂ）は端部支柱の支柱脚部と支柱中央頂部の模式的斜視図、である。
【図３】本発明の実施するための形態に係る蛇腹式建造物であって、支柱と被覆資材を分割している場合の模式的全体斜視図である。
【図４】本発明の実施するための形態に係る蛇腹式建造物であって、（ａ）は分割部の支柱と被覆資材を展開している場合の模式的側面図、（ｂ）は分割部の支柱と被覆資材を分割している場合の模式的側面図である。
【発明を実施するための形態】
【００２３】
本発明に係わる蛇腹式建造物を実施するための形態について図１、２、３、４を用いて説明する。図１は、本発明の実施するための形態に係る蛇腹式建造物であって、模式的全体斜視図である。図２は、本発明の実施するための形態に係る蛇腹式建造物であって、（ａ）は中間支柱の支柱脚部と支柱中央頂部の可動部の模式的斜視図、（ｂ）は端部支柱の支柱脚部と支柱中央頂部の模式的斜視図、である。図３は、本発明の実施するための形態に係る蛇腹式建造物であって、支柱と被覆資材を分割している場合の模式的全体斜視図である。図４は、本発明の実施するための形態に係る蛇腹式建造物であって、（ａ）は分割部の支柱と被覆資材を展開している場合の模式的側面図、（ｂ）は分割部の支柱と被覆資材を分割している場合の模式的側面図である。
【００２４】
図１に示すように、蛇腹式建造物１は、農圃等にアーチ型の端部支柱２−１、中間部支柱２−２、中間部支柱（分割部）２−２−１各支柱をトンネル状に立設し、端部支柱２−１と該中間部支柱２−２、２−２−１の外側を被覆資材４ａ、４ｂにより覆って構成する。そして、固定された両端部支柱２−１を除き中間部の各中間支柱２−２、２−２−１をトンネルの軸方向に移動可能にしている。また、被覆資材４ａが、両端部支柱２−１、及び、各中間支柱２−２、２−２−１に連結しており、また、被覆資材４ａが分割箇所で分割しているので、各中間支柱２−２、２−２−１の移動と共に展開すること又は畳むことができる。分割箇所では、任意の分割箇所で中間部支柱（分割部）２−２−１を２本連続して配設しており、図３で示すように、隣合う２本の中間部支柱（分割部）２−２−１同士が、支柱分割部連結部材５によって、結合及び分割が自在にできるようになっている。これは一例であって、任意の箇所で、適宜、分割個所を選択できる。また、妻部には、二分割している妻部用の被覆資材４ｂを端部支柱２−１に連結している。これらの構成により蛇腹式建造物１は、構造が簡易で設備が安く、しかも簡単に組立、解体ができるのである。なお、中間部支柱２−２、２−２−１は、パイプ又は棒状であり、断面形状は丸型又は角型である。
【００２５】
両端部支柱２−１には、中央頂部２−１−ａに頂部溝型鋼接合部材３ｃが設けられており、溝型鋼３ａとボルト３ｅで固定され、また、両脚部２−２−ｂに脚部溝型鋼接合部材３ｄが設けられており、両脚部の溝型鋼３ｂとボルト３ｅで固定され、それぞれ、両端部支柱２−１間には、溝型鋼３ａ、３ｂが架設されている。よって、両端部支柱２−１は、溝型鋼３ａ、３ｂによって堅固に固設されて、端部支柱固定具６によって安定して自立している。溝型鋼３ａ、３ｂは、上面が軸方向に溝状の開口部を有している。図２（ａ）、（ｂ）に示すように、各中間部支柱２−２、２−２−１の頂部２−２−ａ、両脚部２−２−ｂの３箇所の下方にキャスター２−２−ｃ、２−２−ｄが、設けられており、該開口部を通ってその溝型鋼３ａ、３ｂ内に収まったキャスター２−２−ｃ、２−２−ｄの車輪が回転することによって移動可能となる。したがって、頂部と両脚部のキャスター２−２−ｃ、２−２−ｄの車輪が回転することによって、該中間部支柱２−２、２−２−１は、小さな力で難なく動かすことができ、軽便に蛇腹の開閉作業をすることができる。また、キャスター２−２−ｃ、２−２−ｄが溝型鋼３ａ、３ｂから脱線することを防止できる。
【００２６】
また、溝型鋼の内辺は、一辺当たり、該溝型鋼内に収まったキャスター２−２−ｃ、２−２−ｄの幅及びその車輪の直径より約５〜１５ｍｍ程大きくするのがよく、通常、車輪が溝型鋼内の下面に接地した状態で安定して、静止し又は回転しながら移動する。しかし、各中間部支柱２−２、２−２−１を移動させる際や、強風に曝された際には、各中間支柱２−２、２−２−１が、前後左右に傾斜する場合があるが、溝型鋼３ａ、３ｂの内上面又は側面にキャスター２−２−ｃ、２−２−ｄの車輪の上部又は側部が接触するので、上述の余裕分（約５〜１５ｍｍ）の長さ以上に傾くことを防止できる。即ち、溝型鋼３ａ、３ｂの内上面（内側面）は、中間支柱２−２、２−２−１のガイドの役割を果たすことになる。また、中間支柱２−２、２−２−１は、頂部及び両脚部のキャスター２−２−ｃ、２−２−ｄの３点で支持しているので、中間支柱２−２、２−２−１に掛かる荷重（自重を含む）が３箇所に分散されることになり、中間支柱２−２、２−２−１やキャスター２−２−ｃ、２−２−ｄ、及び、これらの接続部の必要強度を抑えることができる。それによって、中間支柱２−２、２−２−１全体重量を抑えることができるので、溝型鋼３ａ、３ｂに掛かる荷重を低くすることができる。また、担持支柱を用いれば下から溝型鋼３ａ、３ｂを支えることができる。これらのことから、溝型鋼３ａ、３ｂ必要強度も低く抑えることができて、蛇腹式建造物１全体の材料費や建設費を安価に抑えることができる。なお、端部支柱２−１は金属製のパイプ又は棒体で、中間支柱２−２、２−２−１は、金属性又はプラスチック製のパイプ又は棒体で製作するのが、丈夫で軽く好適である。
【００２７】
被覆資材４は、柔軟性を有する薄厚状のシートであって、中間部支柱２−２、２−２−１と一緒に移動できるようにするために、支柱を内骨として連結する必要があり、支柱２−１、２−２、２−２−１の複数箇所に、支柱２−１、２−２、２−２−１に挿通したリング状の被覆資材連結材４ｃを予め被覆資材４に形成して置くか、又は、支柱２−１、２−２、２−２−１の骨材に対して被覆資材４と同じ共布地で挟んで接着して被覆資材連結材４ｃとすることで連結可能である。
【００２８】
また、妻部には、被覆資材連結材４ｃを用いて、端部支柱２−１に妻部用被覆資材４ｂを連結している。妻部用被覆資材４ｂは、中央部付近で縦に二分割しており、小型のトラクター等を蛇腹式建造物１に搬入出するときには、二分割された妻部用被覆資材４ｂをファスナーやマジックテープ（登録商標）等の留め具をはずして両側の妻部用被覆資材４ｂを捲って中に入れる。他方、妻部用被覆資材４ｂをファスナーやマジックテープ（登録商標）等の留め具で連結すれば、ビニールハウスとして蛇腹式建造物１を使用する場合に、中に寒気が入ってくることを防ぐことができ、また、倉庫又は作業場として蛇腹式建造物１を使用する場合には、雨、埃又は泥が入って、荷物又は作業場が汚れることを防ぐことができる。
【００２９】
また、蛇腹式建造物１の屋根や壁を形成する被覆資材４ａには、蛇腹式建造物１の目的及び用途に応じて、プラスチック製フィルム、寒冷紗、不織布、ブルーシート、熱線遮断シート及び紫外線遮断等を使い分ける。例えば、蛇腹式建造物１をビニールハウスとして使用する場合に、保温のためであれば、プラスチックフィルムや不織布が、遮光であれば、着色プラスチックフィルムや不織布が、通気性のある遮光材として寒冷紗が、防虫であれば、いずれの被覆資材も使えるように、これらの被覆資材を適宜選択して用いることができる。また、蛇腹式建造物１を倉庫又は作業場して使用する場合には、ブルーシートは、安価で入手し易いので、頻繁に蛇腹式建造物１を移設する場合に用いれば、移設時に被覆資材４ａが傷んでも設備費を安く抑えることができる。熱線遮断シートを使用するれば、夏場でも蛇腹式建造物１内の気温が高温になることを防ぐことができるので、作業場として使用する場合快適な作業環境が得られる。また紫外線遮断シートを用いれば、蛇腹式建造物１内に保管している保管物、例えば、プラスチック製品の劣化を抑えることができる。
【００３０】
次に、蛇腹式建造物１の組立方法の１例を説明する。まず、両端部支柱２−１は、前もって、溶接又はボルト締めによって、両脚部に溝型鋼接合部材３ｄと、頂部に溝型鋼接合部材３ｃを設けている。そして、一方の端部支柱２−１の両脚部に端部支柱固定具６を取付けてから所定の位置に設置して、他方の端部支柱２−１設置場所との間で、なるべく他方の端部支柱２−１側に担持支柱８を据えて、溝型鋼（頂部）３ａの一端を該一方の端部支柱２−１の溝型鋼接合部材３ｃにボルト３ｅで固設し、他端側を担持支柱８に乗せて仮配置する。両溝型鋼（脚部）３ｂも同様に、一端を該一方の端部支柱２−１の溝型鋼接合部材３ｄにボルト３ｅで固設し、他端側を土砂等で支えて傾かないように仮配置する。次に、溝型鋼３ａ、３ｂの他端側から、分割部を考慮しながら中間支柱２−２、２−２−１のキャスター２−２−ｃ、２−２−ｄを、それぞれ溝型鋼３ａ、３ｂ内に収めて通していく。所定の数の中間支柱２−２、２−２−１を架設すれば、脚部に端部支柱固定具６取付けた他方の端部支柱２−１の頂部溝型鋼接合部材３ｃにボルト３ｅで頂部溝型鋼３ａを、また同様に、両脚部の溝型鋼接合部材３ｄにボルト３ｅで両脚部の溝型鋼３ｂを固設して骨組みを固める。最後に、被覆資材４ａを、端部支柱２−１、中間支柱２−２、２−２−１の外周を覆うようにして、各支柱２−１、２−２、２−２−１に被覆資材連結材４ｃで固定していく。そして、両端部支柱２−１に妻部用被覆資材４ｂを設置すれば完成である。
【００３１】
次に、図３、４を用いて使用方法を説明する。まず、蛇腹式建造物１をビニールハウスとして使用する場合について説明する。蛇腹式建造物１は、幅２．０〜２．５ｍ、高さ２．０〜２．５ｍである。長さは、溝型鋼３ａを下から担持する担持支柱８を中間に設けることによって、延長を伸ばすことができる。担持支柱８は、上部が刺股状のものであって、それを用いて溝型鋼３ａを下から支え、下部は三脚構造が安定性を考慮して好ましい。農圃の状況によって、延長を長くすれば、機械仕事、例えば、小型のトラクターでの作業が、延長方向に連続して行うことができるので作業効率がよくなる。
【００３２】
図３に示すように、蛇腹式建造物１は、長大な数本の畝２０を内部に納め、軸方向に分割して、覆うように配設するようにしたものである。隣合う中間部支柱（分割部）２−２−１同士の間は、連結部材５を用いて、結合又は分割可能に構成している。これにより、野菜等を栽培している畝を、保温、遮光、防虫等の目的のために、部分的にトンネルで覆ったり、外したりすることを手間が要らずに素早くおこなうことができる。特に、長大な畝の場合には、複数個所で分割しているので、蛇腹式建造物１の覆い、外しの作業がやり易い。
【００３３】
次に、蛇腹式建造物１を倉庫として使用する場合について説明する。蛇腹式建造物１の中間部支柱２−２、２−２−１に連結している被覆資材４ａを中間部支柱（分割部）２−２−１同士間で分割させることによって、蛇腹式建造物１の側部から、人の出入りや荷物の搬出入をし易くできる。したがって、長さが長い蛇腹式建造物１を使用する場合や、重量のある荷物を搬出入する場合に、妻部の出入り口まで行く必要がなく、任意の場所で側部を開放できるので、トラックや車を倉庫に横付けすることによって、荷物を手で運ぶ距離を短くすることができ作業の効率化が図れる。また、人力で運ぶことができない程の重量のある荷物を蛇腹式建造物１に搬出入する場合にも、中間部支柱（分割部）２−２−１を分割して畳むことによって、屋根を開き、そこから、クレーン車やキャブバッククレーン車（ユニック車）を使用して荷物を吊上げ、搬出入が可能となる。
【００３４】
また、蛇腹式建造物１を作業場として使用する場合にについて説明する。中間部支柱（分割部）２−２−１を分割させて支柱２−２、２−２−１を畳んで使用すれば、作業場の屋根と側壁が存在しない状態となるので、換気が必要な作業、例えば、塗装や溶接作業を行うのに都合がよい。また、作業終了時の作業場における片付けが、分割して畳んでいた中間部支柱２−２、２−２−１及び被覆資材４を展開して繋げるだけで倉庫の状態となり、大変楽で、しかも、簡単に、作業で使った物が保管でき、また、雨に濡れないようにすることができる。また、中間部支柱２−２、２−２−１及び被覆資材４ａを展開すれば、作業場内に風が入らないので、軽量な物も風であおられたり、埃が入ることがなく、特に冬期において作業者は寒い思いをせずに作業できる。また、中間部支柱２−２、２−２−１を畳んだ状態にすれば、清掃した場合においても、換気ができて、蛇腹式建造物１内の乾きも早く大変便利である。
【００３５】
さらに、大型の蛇腹式建造物１を簡易ガレージとしても使用することができるので、その場合について説明する。通常は、蛇腹式建造物１の妻部側から自動車が出入りする。また、自動車を格納する場合には、中間部支柱２−２、２−２−１及び被覆資材４ａを展開して、中間支柱（分割部）２−２−１同士を結合させて固定する。これによって、自動車が完全に覆われているので、日光、雨、ほこり、鳥の糞、黄砂、鉄粉等によって、車が汚れたり、傷ついたりせず、塗装の劣化を防止することができる。自動車への人の乗降時に、屋根や壁である支柱２−２、２−２−１や被覆資材４ａが邪魔にならないように中間部支柱２−２、２−２−１及び被覆資材４を分割して畳んでもよい。なお、幅の広い蛇腹式建造物１を使用する場合には、もちろん、乗降時に、支柱２−２、２−２−１被覆資材４ａを分割して畳む必要はなく展開した状態で使用できる。また、自動車の出入庫時には、妻部用被覆資材４ｂを妻部用被覆資材固定具７で端部支柱２−１に束ねて留めることで自動車の出入庫の邪魔にならないようにする。なお、端部支柱２−１の頂部付近をファスナー等で端部支柱２−１から一部を分離して、妻部用被覆資材４ａの側部を端部支柱２−１に、妻部用被覆資材固定具７で固定してもよい。
【産業上の利用可能性】
【００３６】
簡易なビニールハウス、倉庫、作業場として、広く利用することができる。
【符号の説明】
【００３７】
１：蛇腹式建造物
２−１：端部支柱（固定）  
２−２：中間部支柱                  ２−２−１：中間部支柱（分割部）
２−１−ａ：端部支柱頂部            ２−１−ｂ：端部支柱脚部 
２−２−ａ：中間部支柱頂部          ２−２−ｂ：中間部支柱脚部
２−２−ｃ：中間部支柱頂部キャスター２−２−ｄ：中間部支柱脚部キャスター
３ａ：溝型鋼（頂部）                ３ｂ：溝型鋼（脚部）
３ｃ：頂部溝型鋼接合部材            ３ｄ：脚部溝型鋼接合部材
３ｅ：ボルト
４ａ：被覆資材    ４ｂ：妻部用被覆資材    ４ｃ：被覆資材連結材
５：支柱分割部連結部材                      ６：端部支柱固定具
７：妻部用被覆資材固定具                    ８：担持支柱
２０：畝          ２１：作物用の支柱      ２２：作物
【図１】
2014014280.tif 000003
【図２】
2014014280.tif 000004
【図３】
2014014280.tif 000005
【図４】
2014014280.tif 000006